(57)【要約】【課題】  ＡＤＦが収納されたＡＤＦフレームが装置本体の上面に開閉自在に設けられ、シートスルー方式でのみ画像読み取りを行う画像読取装置において、メンテナンス作業を容易にする手段を提供する。【解決手段】  本画像読取装置１は、装置本体５の上面５ａに、自動原稿搬送機構１１を収納するＡＤＦフレーム７が、該ＡＤＦフレーム７の一端側に固定されるフレーム支持部２９と装置本体５に固定される基部３０とが回動自在に枢着されてなるヒンジ部材６を介して開閉自在に設けられ、ＡＤＦフレーム７は、その背面側端部をヒンジ部材６のフレーム支持部２９により支持され、その底面７ａを正面側に露呈させるように開閉自在に設けたものである。【選択図】  図１
2005269448.tif 000002
【特許請求の範囲】
【請求項１】
画像読取手段を具備する装置本体の上面に、原稿トレイから前記装置本体の読取位置を経て排紙トレイへ原稿を搬送する自動原稿搬送機構を収納するＡＤＦフレームが、ヒンジ部材を介して開閉自在に設けられ、シートスルー方式でのみ画像読み取りを行う画像読取装置において、
前記ＡＤＦフレームは、その背面側を前記ヒンジ部材により支持され、その底面を正面側に露呈させるように開閉自在に設けられたことを特徴とする画像読取装置。
【請求項２】
前記装置本体が、上部が開口された中空の筐体状に形成されたボトムフレーム、及び該ボトムフレームの上部を覆うフレームカバーを備えてなり、前記ボトムフレームに、前記ヒンジ部材、または、前記ボトムフレームをフラットベッド方式で画像読み取りを行う画像読取装置に使用する場合にその装置本体の上面に原稿押圧板を開閉自在に支持するヒンジ部材を選択的に嵌入可能な支持部が設けられたことを特徴とする請求項１記載の画像読取装置。
【請求項３】
前記ヒンジ部材が、前記ＡＤＦフレームの一端側に固定されるフレーム支持部と前記装置本体に固定される基部とが回動自在に枢着されてなり、
前記ＡＤＦフレームに、装置本体の上面と当接してＡＤＦフレームの位置決めを行う凸部が少なくとも３箇所に設けられ、且つ、前記ヒンジ部材の基部が、装置本体の上面に所定範囲で上下動可能に取り付けられたことを特徴とする請求項１又は２に記載の画像読取装置。
【発明の詳細な説明】
【技術分野】
【０００１】
本発明は、自動原稿搬送機構を収納するＡＤＦフレームが、ヒンジ部材を介して装置本体の上面に開閉自在に設けられた画像読取装置に関するものである。
【背景技術】
【０００２】
スキャナ、ファクシミリ、複写機等に採用される画像読取装置には、プラテンガラスに原稿を載置して画像読み取りを行うフラットベッド方式のものと、複数枚の原稿を順次給紙して画像読み取りを行うシートスルー方式のものとがある。フラットベッド方式は、フラットベッドスキャナ（以下「ＦＢＳ」という）により実現されており、シートスルー方式は、主にオート・ドキュメント・フィーダー（以下「ＡＤＦ」という）により実現されている。
【０００３】
図１３は、ＡＤＦを装備し、シートスルー方式でのみ画像読み取りを行う従来のＰＰＦ（Plain  Paper  Copier）タイプの画像読取装置１００を示す概略正面図であり、該画像読取装置１００は主に普通紙ファクシミリに適用される。図に示すように、画像読取装置１００は、画像読取手段１０１が収納された装置本体１０２と、図示しないＡＤＦが収納されたＡＤＦフレーム１０３とを具備してなるものであり、原稿トレイ１０４にセットされた原稿Ｐが最上紙から１枚ずつ分離されてＡＤＦ内部へ繰り込まれ、該原稿Ｐの表面の画像が、装置本体１０２の読取位置Ｘに配設されたスリットガラス１０５を通して画像読取手段１０１により読み取られ、排紙トレイ１０６へと排出されるものとなっている。
【０００４】
図１３に示すように、装置本体１０２は、ＡＤＦの下方で画像読取手段１０１を固定するためのボトムフレーム１０７と、該ボトムフレーム１０７の上部に設けられて排紙トレイ等を構成するフレームカバー１０８とからなる。ボトムフレーム１０７の側面側端部には上下方向に嵌入穴１０９が形成されており、該嵌入穴１０９に嵌入されたヒンジ部材１１０を介して装置本体１０２の上面にＡＤＦフレーム１０３が固定されることにより、ＡＤＦフレーム１０３が側面方向へ開閉自在となっている。側面方向へ開かれたＡＤＦフレーム１０３は、図に点線で示した位置で図示しないロック機構により固定され、その状態で、ユーザがジャム処理やスリットガラス１０５に堆積した紙粉の清掃等のメンテナンス作業を行うようになっている。
【０００５】
一方、図１４は、ＦＢＳを装備し、フラットベッド方式で画像読み取りを行う従来のＭＦＰ（Multi-Function  Peripherals）タイプの画像読取装置１２０を示す概略斜視図であり、該画像読取装置１２０は、ファクシミリ、コピー、スキャナ、プリンタ等の機能を集約した複合機に用いられる（特許文献１参照）。図に示すように、画像読取装置１２０は、上面にプラテンガラス１２１が設けられた装置本体１２２と、原稿搬送機構（ＡＤＦ）を備え、装置本体１２２の上面に開閉自在に設けられた原稿押圧板１２３と、を具備してなるものである。装置本体１２２は、上面が開口した中空状のボトムフレーム１２５と、プラテンガラス１２１が固定されてボトムフレームの上面を覆うフレームカバー１２６とからなり、該ボトムフレーム１２５内にプラテンガラス１２１の下方を移動して原稿の画像読取りを行う画像読取手段（不図示）が設けられている。フレームカバー１２６及びボトムフレーム１２５の背面側端部には、ヒンジ部材１２４を嵌入するための貫通穴及び嵌入穴がそれぞれ形成され、該貫通穴及び嵌入穴に嵌入されたヒンジ部材１２４を介して原稿押圧板１２３の背面側が装置本体１２２の上面に取り付けられている。これにより原稿押圧板１２３がプラテンガラス１２１の上方を開放するように回動するので、プラテンガラス１２１上に原稿を載置したり取り除く作業が容易である。
【０００６】
原稿押圧板１２３には原稿搬送機構が装備されており、該原稿搬送機構により搬送された原稿は原稿押圧板１２３の下面の開口１２７からスリットガラス１２８上を通過する際に装置本体１２２内の画像読取手段により画像読取りされる。ここで、前述したように、原稿押圧板１２３は背面側を枢支点として回動するものなので、開口１２７、即ち搬送パスがスリットガラス１２８の下方の画像読取手段の読取ラインに対してずれる場合があり、これを修正すべく調整機構が必要となる。従来は、原稿押圧板１２３の左右に一対設けられたヒンジ部材１２４のうち、例えば左側のヒンジ部材１２４を固定するとともに、右側のヒンジ部材１２４を装置の前後方向に位置調整可能として、該ヒンジ部材１２４の位置調整により原稿押圧板１２３の開口１２７を画像読取手段の読取ラインに対して位置調整していた。
【０００７】
【特許文献１】特開２００２−１８５６７３号公報
【発明の開示】
【発明が解決しようとする課題】
【０００８】
しかし、ＰＰＦタイプの画像読取装置１００は、図１３に示すように、ＡＤＦフレーム１０３が装置本体１０２の側面側に回動するものなので、画像読取装置１００のメンテナンス作業は装置本体１０２の右手側から作業することとなるが、右手側には原稿トレイ１０４等が配設されているので、例えば袖口のようなユーザの衣服が引っ掛かることがあって作業がし難いという問題があった。また、ユーザの利き手が左手の場合でも右手側から作業せざるを得ず、やはり作業がし難いという問題があった。
【０００９】
一方、ＡＤＦフレーム１０３を装置背面側を枢支点として回動可能とした場合には、前記画像読取装置１２０と同様に、搬送パスと画像読取手段の読取ラインとの位置調整が必要となるが、ＡＤＦフレーム１０３は、ＭＦＰタイプの画像読取装置１２０の原稿押圧板１２３のように左右方向に幅がないので、左右に一対のヒンジ部材を設けて位置調整することは難しい。
【００１０】
また、ＰＰＦタイプの画像読取装置１００では、ボトムフレーム１０７の側面側端部に嵌入穴１０９が設けられ、また、画像読取手段１０１は装置本体１０２の読取位置Ｘに固定される。これに対し、ＭＦＰタイプの画像読取装置１２０では、ボトムフレーム１２５の背面側端部に嵌入穴が設けられ、画像読取手段は装置本体１２２内を移動可能に設けられる。従って、画像読取装置１００と画像読取装置１２０とでは、そのボトムフレーム１０７とボトムフレーム１２５の構成・機能が異なるので、ボトムフレーム１０７とボトムフレーム１２５とは別個に設計・製作されていた。
【００１１】
本発明は、このような問題に鑑みてなされたものであり、ＡＤＦが収納されたＡＤＦフレームが装置本体の上面に開閉自在に設けられ、シートスルー方式でのみ画像読み取りを行う画像読取装置において、メンテナンス作業を容易にする手段を提供することを目的とする。
【００１２】
また、本発明の他の目的は、装置本体を構成するボトムフレームを、ＰＰＦタイプとＭＦＰタイプで共通化してコストダウンを図る手段を提供することにある。
【００１３】
さらに、本発明の他の目的は、ＡＤＦフレームを画像読取手段の読取ラインに対して位置調整可能とする手段を提供することにある。
【課題を解決するための手段】
【００１４】
上記目的を達成するための請求項１の発明は、画像読取手段を具備する装置本体の上面に、原稿トレイから前記装置本体の読取位置を経て排紙トレイへ原稿を搬送する自動原稿搬送機構を収納するＡＤＦフレームが、ヒンジ部材を介して開閉自在に設けられ、シートスルー方式でのみ画像読み取りを行う画像読取装置において、前記ＡＤＦフレームは、その背面側を前記ヒンジ部材により支持され、その底面を正面側に露呈させるように開閉自在に設けられたものである。
【００１５】
請求項２の発明は、前記装置本体が、上部が開口された中空の筐体状に形成されたボトムフレーム、及び該ボトムフレームの上部を覆うフレームカバーを備えてなり、前記ボトムフレームに、前記ヒンジ部材、または、前記ボトムフレームをフラットベッド方式で画像読み取りを行う画像読取装置に使用する場合にその装置本体の上面に原稿押圧板を開閉自在に支持するヒンジ部材を選択的に嵌入可能な支持部が設けられたものである。
【００１６】
請求項３の発明は、前記ヒンジ部財が、前記ＡＤＦフレームの一端側に固定されるフレーム支持部と前記装置本体に固定される基部とが回動自在に枢着されてなり、前記ＡＤＦフレームに、装置本体の上面と当接してＡＤＦフレームの位置決めを行う凸部が少なくとも３箇所に設けられ、且つ、前記ヒンジ部材の基部が、装置本体の上面に所定範囲で上下動可能に取り付けられたものである。
【発明の効果】
【００１７】
本発明に係る画像読取装置によれば、自動原稿搬送機構を収納するＡＤＦフレームを、その背面側をヒンジ部材により支持し、その底面を正面側に露呈させるように開閉自在に設けたので、画像読取装置のメンテナンスを行う際に、ユーザの衣服が原稿トレイ等に引っ掛かることがない。また、作業者の利き手によらずに容易に作業を行うことができる。
【００１８】
また、本画像読取装置によれば、前記装置本体を構成するボトムフレームに、前記ヒンジ部材、または、前記ボトムフレームをフラットベッド方式で画像読み取りを行う画像読取装置に使用する場合にその装置本体の上面に原稿押圧板を開閉自在に支持するヒンジ部材を選択的に嵌入可能な支持部を設けたので、ＰＰＦタイプの画像読取装置とＭＦＰタイプの画像読取装置とで、ボトムフレームを共通化することができ、コストダウンを図ることができる。
【００１９】
また、本画像読取装置によれば、ＡＤＦフレームに、装置本体の上面と当接してＡＤＦフレームの位置決めを行う凸部が少なくとも３箇所に設けられ、且つ、ヒンジ部材の基部が、装置本体の上面に所定範囲で上下動可能に取り付けられたので、ＡＤＦフレームを画像読取手段の読取ラインに対して位置調整することができる。
【実施例】
【００２０】
以下、本発明の実施例に係る画像読取装置１について図面に基づいて説明する。本画像読取装置１は、ＡＤＦを装備し、シートスルー方式でのみ画像読み取りを行うＰＰＦタイプの画像読取装置である。図１は、本画像読取装置１の外観を示す概略斜視図である。図１に示すように、本画像読取装置１は、上部が開口された中空の筐体状に形成されたボトムフレーム２と、上面にスリットガラス３が配設されボトムフレーム２の上部を覆うフレームカバー４とを備えてなる装置本体５と、該装置本体５の上面５ａにヒンジ部材６を介して開閉自在に設けられたＡＤＦフレーム７と、読み取るべき原稿Ｐを載置するための原稿トレイ８と、読み取りが終了した原稿Ｐを受けるための排紙トレイ９と、装置本体５の前面に設けられ、画像読取装置１を操作するための操作パネル１０とを具備してなるものである。
【００２１】
図２は、本画像読取装置１の内部構成を示す概略縦断面図である。図に示すように、本画像読取装置１では、ＡＤＦフレーム７の内部にＡＤＦ１１が収納され、装置本体５の内部にスキャナユニット（画像読取手段）１２が収納されている。ＡＤＦ１１は、原稿トレイ８に表面を上にして積載された複数の原稿Ｐが最上紙から１枚ずつ分離されて搬送路１３へ繰り込まれ、読取位置Ｘを通過する際にその表面の画像がスキャナユニット１２により読み取られ、排紙トレイ９へ排出されるものとなっている。
【００２２】
スキャナユニット１２は、スリットガラス３を通して原稿Ｐへ光を照射し、該原稿Ｐからの反射光を電気信号に変換して画像読み取りを行う所謂縮小光学系のＣＣＤ読取ユニットであり、図に詳細は示さないが、略直方体状の筐体１４に、光源、反射ミラー、集光レンズ、及びＣＣＤイメージセンサが配設されてなるものである。図３は、ボトムフレーム２の内部構造を示す概略平面図である。図に示すように、スキャナユニット１２は、その一端側が第１保持部材１５により、他端側が第２保持部材１６により、ボトムフレーム２における前記読取位置Ｘの直下に固定されている。また、ボトムフレーム２を、ＦＢＳを備えてフラットベッド方式で画像読み取りを行う画像読取装置にも使用できるようにするため、図３に示すように、ボトムフレーム２には、案内ロッド固定部１７、ガイドレール１８、ベルト駆動機構取付部１９Ｌ，１９Ｒ、及び嵌入穴（支持部）２０Ｌ，２０Ｒがそれぞれ設けられている。
【００２３】
嵌入穴２０Ｌは、図３に示すように、ボトムフレーム２の背面側における左隅部に、周囲を樹脂等からなるフレームで囲まれた空間を形成してなるものであり、その横断面形状は略矩形であって、深さ寸法はボトムフレーム２の高さ寸法と略等しくなっている。この嵌入穴２０Ｌは、シートスルー方式でのみ画像読み取りを行うＰＰＦタイプの本画像読取装置１と、ＦＢＳを備えフラットベッド方式で画像読み取りを行うＭＦＰタイプの画像読取装置とで共用されるものである。すなわち、ボトムフレーム２を本画像読取装置１に使用する場合には、ＡＤＦフレーム７を支持する前記ヒンジ部材６の一端部が嵌入穴２０Ｌに嵌入され、ヒンジ部材６が装置本体５に対して位置決めされるものとなっている。また、ボトムフレーム２をＦＢＳを備えた画像読取装置に使用する場合には、原稿押圧板を支持するヒンジ部材の一端部が嵌入穴２０Ｌに嵌入され、該ヒンジ部材が装置本体に対して位置決めされるものとなっている。一方、図３に示すように、ボトムフレーム２の背面側における中央部右寄りにも、嵌入穴２０Ｌと同様の構成の嵌入穴２０Ｒが設けられている。この嵌入穴２０Ｒは、ボトムフレーム２をＦＢＳを備えた画像読取装置に使用する場合を想定して設けられている。すなわち、ＦＢＳを備えた画像読取装置では、原稿押圧板がその背面側の２箇所をヒンジ部材で支持されるのが一般的であるのを考慮して、一方のヒンジ部材を前記嵌入穴２０Ｌに、他方のヒンジ部材を嵌入穴２０Ｒに嵌入するようになっている。従って、ボトムフレーム２を本画像読取装置１に使用する場合、嵌入穴２０Ｒは使用されないものとなっている。また、案内ロッド固定部１７，ガイドレール１８，ベルト駆動機構取付部１９Ｌ，１９Ｒの構成については、後述する画像読取装置５０において説明し、ここでは詳細な説明は省略する。
【００２４】
ＡＤＦフレーム７は、中空の筐体状に形成されたに樹脂製のフレームであり、その内部にＡＤＦ１１が収納できるようになっている。このＡＤＦ１１は、図１及び図２に示すように、原稿トレイ８と排紙トレイ９とを連通する略横Ｕ字形状の搬送路１３と、原稿Ｐの束から最上紙を分離して搬送路１３へ繰り出す給紙ユニット２１と、搬送路１３に適宜配設されて原稿Ｐを下流へ搬送する搬送ローラ２２と、を具備してなるものである。
【００２５】
このＡＤＦフレーム７は、図１に示すように、その背面側の端部が、ヒンジ部材６を介して装置本体５の上面５ａに取り付けられ、正面開き、すなわち、その底部７ａを装置本体５の正面側に露呈させるように開閉可能となっている。これは、ＡＤＦ１１内部で原稿詰まりが発生した場合に、ＡＤＦフレーム７を開いて搬送路１３を露呈させることで詰まった原稿Ｐを容易に除去できるようにするとともに、画像読取装置１のメンテナンスを行う場合に、ＡＤＦフレーム７を開くことで作業を行いやすくするためである。尚、図２に示すように、ＡＤＦフレーム７を構成する上カバーＫのみを上方へ開いて搬送路１３を露呈させることにより、ＡＤＦフレーム７の内部に詰まった原稿Ｐを除去することも可能である。
【００２６】
このように、ＡＤＦフレーム７を開閉可能としたことにより、開いたＡＤＦフレーム７を閉じる際に、ＡＤＦフレーム７が傾斜してその先端部が浮き上がって、原稿Ｐが斜行したり、スキャナユニット１２による読取画質が劣化しないよう、ＡＤＦフレーム７を装置本体５に対して一定の位置に位置決めする必要がある。従って、本実施例では、図１に示すように、ＡＤＦフレーム７の先端側、すなわちヒンジ部材６とは逆側の端部に、その底面７ａから突出する左右一対の凸部２３を設けるとともに、該各凸部２３に対応して、装置本体５の上面５ａの２箇所に凹部２４を形成している。ここで、各凸部２３のＡＤＦフレーム７の底面７ａからの突出長は互いに等しくなっている。加えて、図１に示すように、ＡＤＦフレーム７の基端側、即ちヒンジ部材６による取り付け側における略中央部にも凸部２３が設けられており、この凸部２３のＡＤＦフレーム７の底面７ａからの突出長は、前記先端側の各凸部２３の突出長と等しくなっている。これにより、先端側及び基端側の計３個の凸部２３全てを装置本体５の上面５ａに当接させるようにしてＡＤＦフレーム７を閉じることにより、ＡＤＦフレーム７を所定高さに水平に保持することが可能となっている。このようにＡＤＦフレーム７の高さ方向の位置決めを行う凸部２３は、ＡＤＦフレーム７の底部７ａにおける３箇所以上に設けてもよいが、ＡＤＦフレーム７を水平に位置決めするためには少なくとも３点で位置決めすれば十分であり、コスト削減の観点から３個とすることが好適である。また、各凸部２３を設ける位置は、３個の凸部２３が一直線上に並ばないようにすれば、本実施例に限られず適宜設計変更が可能であるが、ＡＤＦフレーム７を安定して保持するためには、本実施例のように、ＡＤＦフレーム７のより先端側における両端部２箇所と、より基端側の中央部１箇所に設けることが好適である。
【００２７】
尚、前記先端側の２個の凸部２３のうち一方はマグネットで形成され、該凸部２３に対応した一方の凹部２４の底部には鉄板が配設されている。これにより、ＡＤＦフレーム７を閉じた時に、一方の凸部２３はその磁着力によって一方の凹部２４の底部に吸着するものとなっている。この時、一方の凸部２３と一方の凹部２４の間に流れる電流が、ＡＤＦフレーム７に収納された図示しない開閉検知センサーに検知されることにより、ＡＤＦフレーム７の開閉が検知されるものとなっている。
【００２８】
図４は、図１におけるヒンジ部材６近傍を拡大した分解斜視図である。図１及び図４に示すように、装置本体５の上面５ａにおいて、ＡＤＦフレーム７に対応した部分には、ヒンジ部材６を取り付けるための取付凹部２５と、該取付凹部２５の底部に突設され、ネジ孔２６が形成されてなる左右一対のボス部２７と、取付凹部２５の底部に形成され、ヒンジ部材６の一端部を装置本体５の内部へ嵌入するための貫通穴２８と、ＡＤＦフレーム７を装置本体５に対して水平方向に位置決めする位置決めピン２９と、がそれぞれ設けられている。
【００２９】
取付凹部２５は、図４に示すように、ヒンジ部材６を装置本体５の上面５ａと略面一に取り付けるため、フレームカバー４の上面における背面側端部を凹状に形成してなるものであり、平面視が略矩形の形状を有している。また、ボス部２７は、ヒンジ部材６に挿通されて該ヒンジ部材６を装置本体５に対して位置決めするとともに、後述する規制ネジ３４を螺合するためのものである。このボス部２７は、図４及び図５に示すように、略円筒形状を有し、取付凹部２５の底部における２箇所に突設され、その下端部は装置本体５の内部へ突出して形成されている。このボス部２７のフレームカバー４上面からの突出高さは、取付凹部２５の深さ寸法と略等しいか若干小さくなっている。また、貫通穴２８は、ヒンジ部材６の一端部を装置本体５の内部へ嵌入して位置決めするため、フレームカバー４を貫通して形成されたものである。該貫通穴２８は、ボトムフレーム２の嵌入穴２０Ｌに対応した位置に形成され、平面視が嵌入穴２０Ｌと略等しい形状となっている。これにより、ヒンジ部材６は、該貫通穴２８を通して嵌入穴２０Ｌへと嵌入されるものとなっている。
【００３０】
位置決めピン２９は、ＡＤＦフレーム７を閉じた状態において、該ＡＤＦフレーム７が装置本体５に対して水平方向に位置ズレするのを防止するものである。すなわち、本発明では、ＡＤＦフレーム７は、装置本体５に対して位置固定されず、また、その背面側端部を装置本体５の上面５ａに取り付けて正面開きとしたことで、ヒンジ部材６を支点とした回転半径が長い分、水平方向に横ズレしやすくなっている。従って、装置本体５の上面５ａにおける前記凹部２４の内方に位置決めピン２９を突設する一方、これに対応して、ＡＤＦフレーム７の底面７ａに位置決めピン２９に嵌合する形状の位置決め孔３０を形成している。これにより、ＡＤＦフレーム７を閉じた時に、位置決めピン２９が位置決め孔３０に嵌合し、ＡＤＦフレーム７は水平方向に移動不能に保持されるものとなっている。尚、位置決めピン２９及び位置決め孔３０を設ける位置及び個数は、任意に設計変更が可能であるが、本実施例のように、ＡＤＦフレーム７の装置本体５への取付位置からより遠い位置に設けた方が、ＡＤＦフレーム７をより確実に保持することができるので好適である。
【００３１】
ヒンジ部材６は、図４に示すように、ＡＤＦフレーム７の一端側を支持する左右一対のフレーム支持部３１と、装置本体５に取り付けるための基部３２とが、ヒンジピン３３を介して回動自在に枢着されてなるものであり、該ヒンジ部材６の基部３２が、規制ネジ（固定具）３４を介して、装置本体５の上面５ａに所定範囲で上下動可能に取り付けられている。
【００３２】
基部３２は、図４に示すように、フレームカバー４の上面に取り付けられる取付板３５と、該取付板３５の上面から上方へ突設され、ヒンジピン３３の両端部をそれぞれ支持する左右一対のヒンジピン支持片３６と、取付板３５の底面から下方へ突設され、装置本体５の内部へ嵌入される嵌入片３７とを有してなるものである。各ヒンジピン支持片３６には、ヒンジピン３３を挿通させるためのピン挿通孔３８がそれぞれ形成されており、この各ピン挿通孔３８に長尺のヒンジピン３３がそれぞれ挿通されて固着されることにより、左右のヒンジピン支持片３６の間にヒンジピン３３が架設されるものとなっている。また、嵌入片３７は、フレームカバー４の貫通穴２８を通してボトムフレーム２の嵌入穴２０Ｌへ嵌入されることで、ヒンジ部材６を装置本体５に対して位置決めするものである。この嵌入片３７は、その横断面形状が貫通穴２８及び嵌入穴２０Ｌより若干小さく形成されており、嵌入穴２０Ｌに嵌入された時に嵌入穴２０Ｌとの間に若干の隙間が生じるものとなっている。これにより、ヒンジ部材６は、この隙間の分、ガタつきが許容されるものとなっている。
【００３３】
取付板３５は、図４に示すように、平面視が略矩形の平板であって、各ボス部２７が挿通されるボス挿通孔３９と、該各ボス挿通孔３９の周囲に取付板３５の上面から段落ちしてそれぞれ形成された段落ち部４０とを有するものである。この取付板３５の平面形状は、前記取付凹部２５の平面形状より若干小さく、また、その厚み寸法は、取付凹部２５の深さ寸法と略等しくなっており、該取付板３５を取付凹部２５に嵌合させて取り付けることにより、取付板３５が水平方向に位置ズレしにくくなっている。また、取付板３５の段落ち部４０における厚み寸法は、各ボス部２７が取付凹部２５の底部から突出する突出高さより若干小さくなっている。これにより、図５に示すように、各ボス挿通孔３９に各ボス部２７をそれぞれ挿通させた時に、各ボス部２７の上端面が段落ち部４０の上面から突出するものとなっている。また、図に詳細は示さないが、各ボス挿通孔３９の径は各ボス部２７の外径より若干大きく形成されており、ボス挿通孔３９にボス部２７が挿通された時に、ボス挿通孔３９の内周面とボス部２７の外周面との間には若干の隙間が生じるものとなっている。これにより、ヒンジ部材６は、この隙間の分だけ、水平方向に若干のガタつきが許容されるものとなっている。
【００３４】
段落ち部４０は、図５に示すように、ボス部２７の上端面と取付板３５の上面の間に段差ｄを設けることにより、取付板３５が、各ボス挿通孔３９に各ボス部２７が挿通された状態において、各ボス部２７に沿って前記段差ｄ分だけ上下方向に移動することを可能とするものである。ボス部２７の上端面と取付板３５の上面の間に段差ｄを設ける手段としては、本実施例のように、取付板３５の上面を段落ちして形成する以外に、ボス部２７の上端面の位置を高くすることも可能である。すなわち、段落ち部４０を形成せずに、各ボス部２７が取付凹部２５の底部から突出する突出高さを、取付板３５の厚みより大きくすることにより、ボス部２７の上端面と取付板３５の上面の間に段差ｄを設けることができる。
【００３５】
規制ネジ３４は、取付板３５の上下動の上限位置を決定するものであり、図５に示すように、ボス部２７のネジ孔２６の深さより短尺なネジ部４１と、下端部がボス部２７より大径に形成されてなるネジ頭４２とを具備してなるものである。この規制ネジ３４が、そのネジ頭４２の下端部をボス部２７の上端面に当接させるまで、ボス部２７のネジ孔２６に螺合され、ネジ頭４２の下端部がボス部２７の上端面から鍔状に突出した状態となっている。取付板３５は、この鍔状に突出したネジ頭４２の下端部に接触することにより、それ以上上へは移動できないものとなっている。取付板３５の移動範囲は、規制ネジ３４を回してボス部２７からの突出長を大きくすることで広くすることができ、これとは逆に、規制ネジ３４を回してボス部２７からの突出長を小さくすることで狭くすることができる。
【００３６】
このように、ヒンジ部材６を装置本体５の上面５ａに所定範囲で上下動可能に取り付けることにより、ＡＤＦフレーム７の取付側に若干のガタつきが生じることを許容している。従って、ヒンジ部材６、ＡＤＦフレーム７、又は装置本体５に寸法誤差や取付誤差等が生じた場合でも、ＡＤＦフレーム７を閉じる際に、前記取付板３５が前記誤差に応じた分だけ上下動することにより、ＡＤＦフレーム７の各凸部２３が共に装置本体５の上面５ａに確実に当接され、ＡＤＦフレーム７を水平に閉じることが可能となっている。これにより、原稿Ｐはスキャナユニット１２によって正確に読み取られるものとなっている。
【００３７】
前記フレーム支持部３１は、図４に示すように、円弧状に形成された基端にヒンジピン３３を挿通させるためのピン挿通孔４３が形成されてなる左右一対のアーム部材４４と、該各アーム部材４４の先端を接続して設けられた固定板４５とを具備してなるものである。このフレーム支持部３１は、固定板４５がＡＤＦフレーム７にネジ等で固定されるとともに、各アーム部材４４のピン挿通孔４３にヒンジピン３３がそれぞれ挿通される。これにより、ＡＤＦフレーム７は、ヒンジピン３３を支点として回動自在となっている。また、前述のように、固定板４５の略中央部には、前記取付板３５の上面に当接することでＡＤＦフレーム７を装置本体５の上面５ａから所定高さに保持するための凸部２３が設けられている。
【００３８】
以下、ヒンジ部材６等に寸法誤差や取付誤差が生じた場合における、ヒンジ部材６の上下動について説明する。図５乃至図７は、ヒンジ部材６の上下動を示す図であり、図５はＡＤＦフレーム７を閉じた状態を画像読取装置１の側方から、図６はヒンジ部材６等に前記誤差が生じた場合にＡＤＦフレーム７を閉じた状態を画像読取装置１の側方から、図７はヒンジ部材６等に誤差が生じた場合にＡＤＦフレーム７を閉じた状態を画像読取装置１の背面側から見た概略縦断面図である。本実施例では、ヒンジ部材６等に生じる前記誤差に対する許容誤差をｄと設定している。すなわち、ＡＤＦフレーム７を閉じてその底面７ａに設けられた３個の前記各凸部２３が装置本体５の上面５ａに当接した状態では、図５に示すように、取付板３５と取付凹部２５の底部との間、及び取付板３５とボス部２７の上端面との間にそれぞれｄ／２ずつの隙間が生じるものとしており、取付板３５にこの隙間分だけ上下方向にｄ／２ずつのがたつきを許容している。従って、ヒンジ部材６等に前記誤差が生じた場合でも、図６に示すように、該誤差を吸収すべく取付板３５が若干上下動することで、３個の前記各突起２３が装置本体５の上面５ａに当接するようにしてＡＤＦフレーム７を閉じることが可能となっている。この時、ＡＤＦフレーム７は、図７にしめすように、その底面７ａの各凸部２３が装置本体５の上面５ａに当接する２点Ａ，Ｂと、前記固定板４５の前記凸部２３が前記取付板３５の上面に当接する点Ｃ、の計３点によって鉛直方向に位置決めされ、装置本体５から所定高さで水平に保持されるものとなっている。もちろん、取付板３５の上下動は、図５乃至図７に示した状態に限られず、ヒンジ部材６等の前記誤差に応じて適宜変化するものである。また、ＡＤＦフレーム７は、図に詳細は示さないが、各ボス部２７の外周面が各ボス挿通孔３９の内周面に当接する点それぞれと、前記位置決めピン２９の外周面が位置決め孔３０の内周面に当接する点、の計３点によって水平方向に位置決めされることにより、横ズレが生じないものとなっている。
【００３９】
以下、ＦＢＳ及びＡＤＦの両方を装備し、フラットベッド方式とシートスルー方式の両方で画像読み取りが可能なＭＦＰタイプの画像読取装置５０について説明する。本画像読取装置５０は、そのボトムフレーム１２及びスキャナユニット１０が、前記画像読取装置１と共通化されている。画像読取装置５０は、前記ボトムフレーム２及び該ボトムフレーム２の上部を覆うフレームカバー５１を備えてなる装置本体５２と、該装置本体５２の上面にヒンジ部材５３を介して開閉自在に設けられた原稿押圧板５４と、前記操作パネル１０と、を備えてなるものである。原稿押圧板５４には、読み取るべき原稿がセットされる原稿トレイ５５と、読み取りが終了した原稿が排出される排紙トレイ５６とがそれぞれ設けられている。
【００４０】
図１０は、画像読取装置５０の内部構成を示す概略縦断面図である。図に示すように、画像読取装置５０は、装置本体５２にＦＢＳ５７が、原稿押圧板５４にＡＤＦ５８がそれぞれ設けられている。ＦＢＳ５７は、装置本体５２の上面に設けられたプラテンガラス５９上に図示しない原稿が載置され、この原稿の表面の画像が、プラテンガラス５９の下方に配置された前記スキャナユニット１２により読み取られるものとなっている。一方、ＡＤＦ５８は、原稿トレイ５５に積載された複数の原稿Ｐが最上紙から１枚ずつ分離されて搬送路６０へ繰り込まれ、読取位置Ｘを通過する際に、その表面の画像が、プラテンガラス５９に隣接して設けられたスリットガラス６１を通してスキャナユニット１２により読み取られ、排紙トレイ５６へ排出されるものとなっている。尚、ＡＤＦ５８は、画像読取装置１のＡＤＦ１１と同様の構成であり、ここでは詳細な説明は省略する。また、ＡＤＦ５８は任意の構成であり、ＦＢＳ５７のみを装備した構成とすることも可能である。
【００４１】
本画像読取装置５０では、スキャナユニット１２によるフラットベッド方式での画像読み取りを可能とするため、スキャナユニット１２をプラテンガラス５９に平行して移動自在に設けている。図１１は、本画像読取装置５０におけるボトムフレーム２の内部構成を示す概略平面図である。ボトムフレーム２には、前述のように、案内ロッド固定部１７、ガイドレール１８、及びベルト駆動機構取付部１９Ｌ，１９Ｒがそれぞれ設けられている。
【００４２】
案内ロッド固定部１７は、スキャナユニット１２の走査方向を規制するための案内ロッド６２を嵌め込み固定するためのものであり、ボトムフレーム２の内側面の所定位置に一対設けられている。該案内ロッド固定部１７により案内ロッド６２がスキャナユニット１２の奥側の端部に対応して走査方向へ架設され、この案内ロッド６２がスキャナユニット１２に挿通されている。一方、ガイドレール１８は、案内ロッド６２と並行するようにボトムフレーム２の手前側の側面に沿って設けられている。スキャナユニット１２は、その一端側がガイドレール１８上に載置され、他端側に案内ロッド６２が挿通されることにより、水平状態を維持しながらガイドレール１８上を摺動可能となっている。
【００４３】
また、ベルト駆動機構取付部１９Ｌ，１９Ｒは、スキャナユニット１２を移動するための駆動力を付与するプーリ６３，６４、ベルト６５、モータ６６等からなるベルト駆動機構６７を配設するためのスペースであり、モータ６６やプーリ６３，６４が固定されたブラケット６８，６９がネジ止め等により固定される。該ベルト駆動機構６７は、図１０及び図１１に示すように、駆動プーリ６３と従動プーリ６４間に巻架されたベルト６５が、モータ６６の駆動力で駆動プーリ６３が回転することにより周運動するように構成されたものであり、該ベルト６５がスキャナユニット１２に固定されている。駆動プーリ６３及びベルト６５はブラケット６８にそれぞれ固定されて、ボトムフレーム２の右奥隅部に設けられたベルト駆動機構取付部１９Ｒに配設され、ネジ等の固定具により固定されている。一方、従動プーリ６４もブラケット６９に固定されて、ボトムフレーム２の左奥隅部に設けられたベルト駆動機構取付部１９Ｌに配設され、ネジ等の固定具により固定されている。これら駆動プーリ６３と従動プーリ６４間にベルト６５が巻架されることにより、前記案内ロッド６２に沿ってベルト６５が張られ、モータ６６を制御することにより、該ベルト６５を介してスキャナユニット１２の走査が制御されている。これにより、フラットベッド方式で原稿を読み取る際に、スキャナユニット１２がプラテンガラス５９の下方を移動できるようになっている。
【００４４】
原稿押圧板５４は、図９に示すように、その背面側端部の２箇所がヒンジ部材５３を介して装置本体５２に固定され、正面開き、すなわち、その底面を装置本体５２の正面側へ露呈させるように開閉可能となっている。図１２は、図９において、一方のヒンジ部材５３近傍を拡大した分解斜視図である。図に示すように、フレームカバー５１の背面側端部には、ヒンジ部材５３を取り付けるための取付凹部７０と、該取付凹部７０の底部に形成され、ヒンジ部材５３の一端部を装置本体５２の内部へ嵌入するための貫通穴７１と、該貫通穴７１の左右両側に突設され、ネジ孔７２が形成されてなる左右一対のボス部７３とがそれぞれ設けられている。
【００４５】
取付凹部７０は、前記取付凹部２５と同様の機能を有するものであるが、図１２に示すように、その形状はヒンジ部材５３に応じたものとなっている。また、貫通穴７１は、前記貫通穴２８と同様に、ボトムフレーム２の嵌入穴２０Ｌに対応した位置に形成され、平面視が嵌入穴２０Ｌと略等しい形状となっている。これにより、原稿押圧板５４を支持する一方のヒンジ部材５３は、その一端部が貫通穴７１を通してボトムフレーム２の嵌入穴２０Ｌへ嵌入されるものとなっている。尚、図に詳細は示さないが、他方のヒンジ部材５３が取り付けられる取付凹部７０には、前記嵌入穴２０Ｒに対応した位置に貫通穴が形成されており、他方のヒンジ部材５３は、その一端部がこの貫通穴を通して嵌入穴２０Ｒへ嵌入されるものとなっている。また、ボス部７３は、ヒンジ部材５３に挿通されて該ヒンジ部材５３を装置本体５２に対して位置決めするとともに、後述する固定ネジ７７を螺合するためのものである。
【００４６】
ヒンジ部材５３は、図１２に示すように、原稿押圧板５４の一端側を支持するフレーム支持部７４と、装置本体５２に取り付けるための基部７５とが、ヒンジピン７６を介して回動自在に枢着されてなるものであり、該ヒンジ部材５３の基部７５が、固定ネジ７７によりフレームカバー５１の上面に固定されている。
【００４７】
基部７５は、フレームカバー５１の上面に取り付けられる取付板７８と、該取付板７８の上面に設けられた略コの字型のヒンジピン支持片７９と、取付板７８の底面から下方へ突設され、貫通穴７１を通して装置本体５２の内部へ嵌入される嵌入片８０とを有してなるものである。ヒンジピン支持片７９には、ヒンジピン７６を挿通させるための一対のピン挿通孔８１が相対向して形成されており、この各ピン挿通孔８１にヒンジピン７６がそれぞれ挿通されて固着されることにより、ヒンジピン７６が架設されるものとなっている。また、嵌入片８０は、フレームカバー５１の貫通穴７１を通してボトムフレーム２の嵌入穴２０Ｌへ嵌入されることで、ヒンジ部材５３を装置本体５２に対して位置決めするものであり、その横断面形状は貫通穴７１及び嵌入穴２０Ｌと略等しくなっている。
【００４８】
取付板７８は、図１２に示すように、平面視が略矩形の平板に、前記各ボス部７３を挿通するための一対のボス挿通孔８２が形成されたものである。この取付板７８の平面形状は、取付凹部７０の平面形状と略等しく、該取付板７８を取付凹部７０に嵌合させて取り付けることで、取付板７８が水平方向に位置ズレしにくくなっている。また、取付板７８の厚み寸法は、取付凹部７０の深さ寸法と略等しくなっている。従って、各ボス挿通孔８２に各ボス部７３を挿通させた時に、各ボス部７３の上端面は取付板７８の上面から突出しないものとなっている。
【００４９】
固定ネジ７７は、図１２に示すように、ボス部７３のネジ孔７２の深さより短尺なネジ部と、ボス挿通孔８２より大径に形成されたネジ頭とを具備してなるものである。この固定ネジ７７を、ボス挿通孔８２に挿通されたボス部７３に螺合させる。この時、前述のように、各ボス部７３の上端面は取付板７８の上面から突出しないので、固定ネジ７７のネジ頭が取付板７８の上面に当接し、取付板７８をフレームカバー５１の上面に固定するものとなっている。
【００５０】
フレーム支持部７４は、図１２に示すように、円弧状に形成された基端にヒンジピン７６を挿通させるためのピン挿通孔８３が形成されてなるアーム部材８４と、該アーム部材８４の先端に設けられた固定板８５とを備えてなるものである。このフレーム支持部７４は、その先端の固定板８５が原稿押圧板５４にネジ等で固定されるとともに、基端のピン挿通孔８３にヒンジピン７６が挿通される。これにより、原稿押圧板５４はヒンジピン７６を支点として回動自在となっている。
【００５１】
尚、本画像読取装置５０では、原稿押圧板５４を装置本体５２の上面に固定したが、ヒンジ部材５３として、リフトアップ機能を有するもの、即ち、ヒンジ部材５３自体が装置本体５２に対して上下動可能なもの、を用いて原稿押圧板５４を取り付けることも可能である。この場合、原稿押圧板５４は、水平状態を維持したまま上下動することができるので、本等のように厚みのある原稿でもプラテンガラス５９に均一に密着させることができ、スキャナユニット１２による良好な画像読み取りが可能となる。
【００５２】
以上述べたように、シートスルー方式でのみ画像読み取りを行うＰＰＦタイプの画像読取装置１において、ＡＤＦフレーム７の背面側をヒンジ部材６で支持して正面開きとしたことにより、画像読取装置１のメンテナンスを行う際に、ユーザの衣服が原稿トレイ８等に引っ掛かることがない。また、メンテナンス作業時に、作業者の利き手等によらず作業を行い易いものとなっている。また、画像読取装置１と、フラットベッド方式で画像読み取りを行うＭＦＰタイプの画像読取装置５０とでボトムフレーム２を共通化することにより、ボトムフレーム２の設計・製作を共通化して、コストダウンを図ることができる。
【図面の簡単な説明】
【００５３】
【図１】本発明の実施例に係る画像読取装置１の外観を示す概略斜視図。
【図２】画像読取装置１の内部構造を示す概略縦断面図。
【図３】ボトムフレーム２の内部構造を示す概略平面図。
【図４】図１における一方のヒンジ部材６近傍を拡大した分解斜視図。
【図５】ＡＤＦフレーム７を閉じた状態を画像読取装置１の側方から見た概略縦断面図。
【図６】ヒンジ部材６等に誤差が生じた場合にＡＤＦフレーム７を閉じた状態を画像読取装置１の側方から見た概略縦断面図。
【図７】ヒンジ部材６等に誤差が生じた場合にＡＤＦフレーム７を閉じた状態を画像読取装置１の背面側から見た概略縦断面図。
【図８】本発明の実施例に係る画像読取装置５０の外観を示す概略斜視図。
【図９】本発明の実施例に係る画像読取装置５０の外観を示す概略斜視図。
【図１０】画像読取装置５０の内部構造を示す概略縦断面図。
【図１１】ボトムフレーム２の内部構造を示す概略平面図。
【図１２】図９における一方のヒンジ部材５３近傍を拡大した分解斜視図。
【図１３】従来例に係る画像読取装置１００を示す概略正面図。
【図１４】従来例に係る他の画像読取装置１２０を示す概略斜視図。
【符号の説明】
【００５４】
１，５０    画像読取装置
２    ボトムフレーム
３，６１    スリットガラス
４，５１    フレームカバー
５，５２    装置本体
５ａ，５２ａ    上面（装置本体）
６，５３    ヒンジ部材
７    ＡＤＦフレーム
８，５５    原稿トレイ
９，５６    排紙トレイ
１１，５８    自動原稿搬送機構（ＡＤＦ）
１２    スキャナユニット（画像読取手段）
２０Ｌ，２０Ｒ    嵌入穴
５４    原稿押圧板
５９    プラテンガラス
Ｐ    原稿
Ｘ    読取位置
３１    フレーム支持部
３２    基部
２３    凸部
【図１】
2005269448.tif 000003
【図２】
2005269448.tif 000004
【図３】
2005269448.tif 000005
【図４】
2005269448.tif 000006
【図５】
2005269448.tif 000007
【図６】
2005269448.tif 000008
【図７】
2005269448.tif 000009
【図８】
2005269448.tif 000010
【図９】
2005269448.tif 000011
【図１０】
2005269448.tif 000012
【図１１】
2005269448.tif 000013
【図１２】
2005269448.tif 000014
【図１３】
2005269448.tif 000015
【図１４】
2005269448.tif 000016
【手続補正書】
【提出日】平成17年1月17日(2005.1.17)
【手続補正１】
【補正対象書類名】明細書
【補正対象項目名】０００３
【補正方法】変更
【補正の内容】
【０００３】
図１３は、ＡＤＦを装備し、シートスルー方式でのみ画像読み取りを行う従来のＰＰＦ（Plain  Paper  Facsimile）タイプの画像読取装置１００を示す概略正面図であり、該画像読取装置１００は主に普通紙ファクシミリに適用される。図に示すように、画像読取装置１００は、画像読取手段１０１が収納された装置本体１０２と、図示しないＡＤＦが収納されたＡＤＦフレーム１０３とを具備してなるものであり、原稿トレイ１０４にセットされた原稿Ｐが最上紙から１枚ずつ分離されてＡＤＦ内部へ繰り込まれ、該原稿Ｐの表面の画像が、装置本体１０２の読取位置Ｘに配設されたスリットガラス１０５を通して画像読取手段１０１により読み取られ、排紙トレイ１０６へと排出されるものとなっている。